(57)【要約】【課題】所定の伝送レートを維持しつつ、確実に画像データの通信が可能な伝送方法とその伝送方法を用いて通信する通信装置とする事を目的とする。【解決手段】画像データを圧縮する画像圧縮工程と、画像圧縮工程で圧縮した画像データの一フレームごとに垂直同期マーカーを付与する垂直同期マーカー付与工程と、垂直同期マーカーが付与された画像データをディジタル音声信号の伝送方式で送信する画像データ送信工程とを有する画像データ伝送方法とする。【選択図】図１
2009141502.tif 000002
【特許請求の範囲】
【請求項１】
画像データを圧縮処理する画像圧縮処理部と、
前記画像圧縮処理部で圧縮処理した画像データの一フレームごとに垂直同期マーカーを付与する垂直同期マーカー付与部と、
前記垂直同期マーカーが付与された画像データをディジタル音声信号の伝送方式で送信する画像データ送信部と、
を有することを特徴とする画像データ送信装置。
【請求項２】
請求項１に記載の画像データ送信装置において、
前記垂直同期マーカーは、当該垂直同期マーカーの位置を示す固定値部と、任意の付与情報を有するアンセラリデータ部と、前記画像圧縮処理部で前記画像データの圧縮処理に用いた量子化テーブルの情報を有する量子化情報部とを有する、
ことを特徴とする画像データ送信装置。
【請求項３】
請求項１又は請求項２に記載の画像データ送信装置において、
前記垂直同期マーカー付与部は、前記ディジタル音声信号の伝送方式におけるＬチャンネルとＲチャンネルとの各々の一部に、前記垂直同期マーカーを分割して付与し、
前記垂直同期マーカーが分割して付与された当該両チャンネルの各々の残余は、情報を有しない無効データ部である
ことを特徴とする画像データ送信装置。
【請求項４】
請求項１乃至請求項３のいずれか一項に記載の画像データ送信装置において、
前記画像データを送信するディジタル音声信号の伝送方式は、ＬＲチャンネルを選択するワード同期信号と、画像データ信号と、ビットデータを識別するビットクロックと、を有する信号を固定伝送レートで伝送する伝送方式である、
ことを特徴とする画像データ送信装置。
【請求項５】
無線送信された画像データを受信して表示部へ表示する為の受信処理を行う受信装置において、
前記送信された画像データは、圧縮処理された画像データの一フレームごとに垂直同期マーカーを付与されて、ディジタル音声信号の伝送方式で送信された画像データであり、
前記受信装置は、
前記ディジタル音声信号の伝送方式で受信する受信部と、
前記圧縮処理された画像データの一フレームごとに付与された垂直同期マーカーに基づいて、前記受信部で受信する画像データを画像伸長処理する画像伸長処理部と、
を有することを特徴とする画像データ受信装置。
【請求項６】
請求項５に記載の画像データ受信装置において、
前記垂直同期マーカーは、当該垂直同期マーカーの位置を示す固定値部と、任意の付与情報を有するアンセラリデータ部と、前記画像伸長処理部で前記画像データの伸長処理に用いた量子化テーブルの情報を有する量子化情報部とを有する、
ことを特徴とする画像データ受信装置。
【請求項７】
請求項５又は請求項６に記載の画像データ受信装置において、
前記垂直同期マーカーは、前記ディジタル音声信号の伝送方式におけるＬチャンネルとＲチャンネルとの各々の一部に、分割して付与された垂直同期マーカーであり、
前記垂直同期マーカーが分割して付与された当該両チャンネルの各々の残余は、情報を有しない無効データ部である
ことを特徴とする画像データ受信装置。
【請求項８】
請求項５乃至請求項７のいずれか一項に記載の画像データ受信装置において、
前記画像データを受信するディジタル音声信号の伝送方式は、ＬＲチャンネルを選択するワード同期信号と、画像データ信号と、ビットデータを識別するビットクロックと、を有する信号を固定伝送レートで伝送する伝送方式である、
ことを特徴とする画像データ受信装置。
【請求項９】
画像データを圧縮処理する画像圧縮処理部と、前記画像圧縮処理部で圧縮処理した画像データの一フレームごとに垂直同期マーカーを付与する垂直同期マーカー付与部と、前記垂直同期マーカーが付与された画像データをディジタル音声信号の伝送方式で送信する画像データ送信部とを有する画像データ送信処理部と、
前記ディジタル音声信号の伝送方式で受信する受信部と、前記圧縮処理された画像データの一フレームごとに付与された垂直同期マーカーに基づいて、前記受信部で受信する画像データを画像伸長処理する画像伸長処理部とを有する画像データ受信処理部と、
を備えることを特徴とする画像データ通信装置。
【請求項１０】
請求項９に記載の画像データ通信装置において、
前記垂直同期マーカーは、当該垂直同期マーカーの位置を示す固定値部と、任意の付与情報を有するアンセラリデータ部と、前記画像圧縮処理部で前記画像データの圧縮処理に用いた量子化テーブルの情報を有する量子化情報部とを有する、
ことを特徴とする画像データ通信装置。
【請求項１１】
画像データを圧縮処理する画像圧縮工程と、
前記画像圧縮工程で圧縮した画像データの一フレームごとに垂直同期マーカーを付与する垂直同期マーカー付与工程と、
前記垂直同期マーカーが付与された画像データをディジタル音声信号の伝送方式で送信する画像データ送信工程と、
を有することを特徴とする画像データ伝送方法。
【請求項１２】
請求項１１に記載の画像データ伝送方法において、
前記垂直同期マーカーは、当該垂直同期マーカーの位置を示す固定値部と、任意の付与情報を有するアンセラリデータ部と、前記画像圧縮工程で前記画像データの圧縮処理に用いた量子化テーブルの情報を有する量子化情報部とを有する、
ことを特徴とする画像データ伝送方法。
【請求項１３】
請求項１１又は請求項１２に記載の画像データ伝送方法において、
前記垂直同期マーカー付与工程は、前記ディジタル音声信号の伝送方式におけるＬチャンネルとＲチャンネルとの各々の一部に、前記垂直同期マーカーを分割して付与する工程であって、
前記垂直同期マーカーが分割して付与された当該両チャンネルの各々の残余は、情報を有しない無効データ部である
ことを特徴とする画像データ伝送方法。
【請求項１４】
請求項１１乃至請求項１３のいずれか一項に記載の画像データ伝送方法において、
前記画像データを送信するディジタル音声信号の伝送方式は、ＬＲチャンネルを選択するワード同期信号と、画像データ信号と、ビットデータを識別するビットクロックと、を有する信号を固定伝送レートで伝送する伝送方式である、
ことを特徴とする画像データ伝送方法。
【発明の詳細な説明】
【技術分野】
【０００１】
本発明は、画像データをディジタル音声信号の伝送方式で伝送する画像データ伝送方法と通信装置等に関する。
【背景技術】
【０００２】
従来、画像データを圧縮符号化し、無線ＬＡＮ（Wireless Local Area Network）やネットワーク等を介して伝送するシステムとして、例えばテレビ電話システム、テレビ会議システム、監視システム等が既に実用化されている。
【０００３】
このようなシステムでは、ITU-T,H.261、MPEG（Moving Picture Experts Group）等の符号化方式を用いることにより、少ない伝送帯域で品位の高い画像情報の伝送を可能にしている。
【０００４】
また、操作画面などの表示にかかる画像データでは、背景色となる白データまたは黒データが何ラインも続く場合が多い場合がある。このような画像データを伝送する場合、符号化圧縮してデータ量を削減し、その符号化した状態で画像データを取り扱う符号化伝送方式が提案されている。例えば、ＭＨ符号化方式またはＭＭＲ符号化方式、自然画像用としてＪＰＥＧ（Joint Photographic Experts Group）、ＪＢＩＧなどの変換符号化方式、算術符号化方式を含んだ圧縮方式などがある。
【０００５】
また、カメラ通信システム等においては、動画像データ を効率良く伝送する方法として、フレーム間予測に基づいた高能率圧縮による符号化データを伝送する種々の方法が用いられている。
【０００６】
これらの伝送方法では、主に、時間的に前後のフレームから符号化画像を予測して得られた予測パラメータと予測残差画像データを符号化することで、時間方向の相関が高い動画像データの情報量を削減する事を可能としている。
【０００７】
また、予測残差画像データを変換符号化や量子化により高能率に圧縮符号化することで、少ない伝送帯域での動画像データ伝送を可能にしている。上記の伝送方法の代表例として、ＭＰＥＧ−１、ＭＰＥＧ−２、ＭＰＥＧ−４などの圧縮符号化方式を用いる方法がある。
【０００８】
これらの圧縮符号化方式では、入力画像フレームをマクロブロックとよばれる一定サイズの矩形領域単位で動き補償によるフレーム間予測を行い、得られた動きベクトルと、予測残差画像データに２次元離散コサイン変換及び量子化を施して圧縮した信号データを可変長符号化する。
【０００９】
また、上述した動画像圧縮符号化情報を、パケット交換方式を利用したＩＰ（Internet Protocol）ネットワークを介して配信する方法や汎用無線ＬＡＮ、ＺｉｇＢｅｅ（登録商標）、ＢｌｕｅＴｏｏｔｈ等による伝送方法は多数実用化されている。
【００１０】
また、ＰＨＳ（Personal Handyphone System）や携帯電話（ＩＭＳ(IP Multimedia Subsystem)帯域等）、又はこれらを通信手段として利用する携帯端末などよりなる移動局が、無線基地局と無線チャネルを介して接続される移動通信システムにおいて、動画像を配信する技術へと展開されつつある。
【００１１】
このような通信システムの一例として、例えば、特許文献１には、画像データ、音声データ、付加データなど複数の情報を１つのパケットでまとめて伝送するパケット通信システムが提案されている。
【特許文献１】特開２００１−７７７５号公報
【発明の開示】
【発明が解決しようとする課題】
【００１２】
しかし、従来のパケット通信等による画像データの伝送では、伝送速度や立ち上がり速度に限界があった。特に、近年益々増大する画像データ伝送のニーズや、画像データの大容量化・多様化に対して十分対応できる伝送方法が期待されるところであった。
【００１３】
本発明は、上述するような状況に鑑み為されたものであり、所定の伝送レートを維持しつつ、確実に画像データの通信が可能な伝送方法とその通信装置等を提供することを目的とする。
【課題を解決するための手段】
【００１４】
この発明にかかる画像データ送信装置は、画像データを圧縮処理する画像圧縮処理部と、画像圧縮処理部で圧縮処理した画像データの一フレームごとに垂直同期マーカーを付与する垂直同期マーカー付与部と、垂直同期マーカーが付与された画像データをディジタル音声信号の伝送方式で送信する画像データ送信部と、を有することを特徴とする。
【００１５】
また、この発明にかかる画像データ送信装置は、好ましくは垂直同期マーカーが、当該垂直同期マーカーの位置を示す固定値部と、任意の付与情報を有するアンセラリデータ部と、画像圧縮処理部で画像データの圧縮処理に用いた量子化テーブルの情報を有する量子化情報部とを有することを特徴とする。
【００１６】
また、この発明にかかる画像データ送信装置は、さらに好ましくは垂直同期マーカー付与部が、ディジタル音声信号の伝送方式におけるＬチャンネルとＲチャンネルとの各々の一部に、垂直同期マーカーを分割して付与し、垂直同期マーカーが分割して付与された当該両チャンネルの各々の残余は、情報を有しない無効データ部であることを特徴とする。
【００１７】
また、この発明にかかる画像データ送信装置は、さらに好ましくは画像データを送信するディジタル音声信号の伝送方式が、ＬＲチャンネルを選択するワード同期信号と、画像データ信号と、ビットデータを識別するビットクロックと、を有する信号を固定伝送レートで伝送する伝送方式であることを特徴とする。
【００１８】
また、この発明にかかる画像データ受信装置は、無線送信された画像データを受信して表示部へ表示する為の受信処理を行う受信装置において、送信された画像データは、圧縮処理された画像データの一フレームごとに垂直同期マーカーを付与されて、ディジタル音声信号の伝送方式で送信された画像データであり、受信装置は、ディジタル音声信号の伝送方式で受信する受信部と、圧縮処理された画像データの一フレームごとに付与された垂直同期マーカーに基づいて、受信部で受信する画像データを画像伸長処理する画像伸長処理部とを有することを特徴とする。
【００１９】
また、この発明にかかる画像データ受信装置は、好ましくは垂直同期マーカーが、当該垂直同期マーカーの位置を示す固定値部と、任意の付与情報を有するアンセラリデータ部と、画像伸長処理部で画像データの伸長処理に用いた量子化テーブルの情報を有する量子化情報部とを有することを特徴とする。
【００２０】
また、この発明にかかる画像データ受信装置は、さらに好ましくは垂直同期マーカーが、ディジタル音声信号の伝送方式におけるＬチャンネルとＲチャンネルとの各々の一部に、分割して付与された垂直同期マーカーであり、垂直同期マーカーが分割して付与された当該両チャンネルの各々の残余は、情報を有しない無効データ部であることを特徴とする。
【００２１】
また、この発明にかかる画像データ受信装置は、さらに好ましくは、画像データを受信するディジタル音声信号の伝送方式が、ＬＲチャンネルを選択するワード同期信号と、画像データ信号と、ビットデータを識別するビットクロックと、を有する信号を固定伝送レートで伝送する伝送方式であることを特徴とする。
【００２２】
また、この発明にかかる画像データ通信装置は、画像データを圧縮処理する画像圧縮処理部と、画像圧縮処理部で圧縮処理した画像データの一フレームごとに垂直同期マーカーを付与する垂直同期マーカー付与部と、垂直同期マーカーが付与された画像データをディジタル音声信号の伝送方式で送信する画像データ送信部とを有する画像データ送信処理部と、ディジタル音声信号の伝送方式で受信する受信部と、圧縮処理された画像データの一フレームごとに付与された垂直同期マーカーに基づいて、受信部で受信する画像データを画像伸長処理する画像伸長処理部とを有する画像データ受信処理部とを備えることを特徴とする。
【００２３】
また、この発明にかかる画像データ通信装置は、好ましくは垂直同期マーカーが、当該垂直同期マーカーの位置を示す固定値部と、任意の付与情報を有するアンセラリデータ部と、画像圧縮処理部で画像データの圧縮処理に用いた量子化テーブルの情報を有する量子化情報部とを有することを特徴とする。
【００２４】
また、この発明にかかる画像データ伝送方法は、画像データを圧縮処理する画像圧縮工程と、画像圧縮工程で圧縮した画像データの一フレームごとに垂直同期マーカーを付与する垂直同期マーカー付与工程と、垂直同期マーカーが付与された画像データをディジタル音声信号の伝送方式で送信する画像データ送信工程とを有することを特徴とする。
【００２５】
また、この発明にかかる画像データ伝送方法は、好ましくは垂直同期マーカーが、当該垂直同期マーカーの位置を示す固定値部と、任意の付与情報を有するアンセラリデータ部と、画像圧縮工程で画像データの圧縮処理に用いた量子化テーブルの情報を有する量子化情報部とを有することを特徴とする。
【００２６】
また、この発明にかかる画像データ伝送方法は、さらに好ましくは垂直同期マーカー付与工程が、ディジタル音声信号の伝送方式におけるＬチャンネルとＲチャンネルとの各々の一部に、垂直同期マーカーを分割して付与する工程であって、垂直同期マーカーが分割して付与された当該両チャンネルの各々の残余は、情報を有しない無効データ部であることを特徴とする。
【００２７】
また、この発明にかかる画像データ伝送方法は、さらに好ましくは画像データを送信するディジタル音声信号の伝送方式が、ＬＲチャンネルを選択するワード同期信号と、画像データ信号と、ビットデータを識別するビットクロックと、を有する信号を固定伝送レートで伝送する伝送方式であることを特徴とする。
【発明の効果】
【００２８】
所定の伝送レートを維持しつつ、画像データの通信が確実に低遅延で伝送可能な伝送方法とその通信装置等を提供することを目的とする。
【発明を実施するための最良の形態】
【００２９】
本実施形態で例示する伝送方法等は、車両後方に取り付けられたカメラ等から取得する画像データを、低遅延で伝送して運転席の表示モニターに表示する車両用カメラシステム等に好適である。
【００３０】
また、本実施形態で例示する伝送方法等は、カメラから取り込まれた画像データを、所定の圧縮形式で圧縮処理した後、ディジタル音声信号の伝送方式で伝送するものである。ディジタル音声信号の伝送方式は、典型的にはＩ２Ｓ（インターサウンドＩＣ）方式を用いる。Ｉ２Ｓ方式を典型例とするディジタル音声信号の伝送方式は、２．４ギガヘルツ帯を利用するので、途切れにくく粘り強い通信リンク維持が可能である。
【００３１】
また、Ｉ２Ｓ方式を典型例とするディジタル音声信号の伝送方式は、いわゆるＬチャンネルとＲチャンネルとからなるワード同期信号（Ｗｏｒｄ  Ｓｙｎｃ）と、ビットデータを識別するビットクロック信号と、オーディオデータを伝送するオーディデータ信号とを有する信号を伝送するものである。そして、オーディオデータに代えて画像データを伝送するものである。
【００３２】
また、ディジタル音声信号の伝送方式は、Ｉ２Ｓ方式の他にも右詰めフォマット（ＲｉｇｈｔーＪｕｓｔｉｆｉｅｄ  ｍｏｄｅ）、左詰めフォマット（ＬｅｆｔーＪｕｓｔｉｆｉｅｄ  ｍｏｄｅ）、左詰めＤＳＰフォマット（ＬｅｆｔーＪｕｓｔｉｆｉｅｄ  ＤＳＰ  ｍｏｄｅ）、３２×Ｆｓ  Ｐａｃｋｅｄモード等を用いることができる。
【００３３】
そこで、以下図面に基づいて実施形態について説明する。
【００３４】
（第一の実施形態）
図１は、第一の実施形態にかかる通信装置１００を模式的に示すブロック概念図である。
【００３５】
通信装置１００において、カメラ１０から取り込まれた画像データは、無線通信または有線通信にて送信処理部２０に送られる。
【００３６】
送信処理部２０は、入力信号インターフェース２１とフレームメモリ２２とを備える。そして、カメラ１０から取り込まれた画像データは、入力信号インターフェース２１を介してアナログディジタル変換等の処理をされた後、フレームメモリ２２に一時記憶される。
【００３７】
また、送信処理部２０は、画像圧縮処理部２３と送信用バッファ２４と送信インターフェース２５とを備える。そして、フレームメモリ２２に一時記憶された画像データは、マクロブロックごとに、順次画像圧縮処理部２３に送られて圧縮処理される。
【００３８】
また、画像圧縮処理部２３に送られて圧縮処理された画像データは、不図示の垂直同期マーカー付与部で画像フレームごとに垂直同期マーカーが付与される。垂直同期マーカー付与部は、圧縮処理された画像データの最初の１６ライン相当分（最初のマクロブロック１行分）の先頭部分に垂直同期マーカーを付与する。なお、垂直同期マーカー付与部は、画像圧縮処理部２３に含めることとし、画像データの圧縮処理と共に画像圧縮処理部２３が垂直同期マーカーを付与する構成としてもよい。
また、垂直同期マーカー付与部で垂直同期マーカーを付与された画像データは、送信用バッファ２４に一時蓄積された後、送信インターフェース２５を介して送信部３０へと伝送される。送信部３０は、符号化された圧縮画像データを、ディジタル音声伝送方式で送信する。
【００３９】
受信側では、送信部３０から送信された画像データを受信部６０で受信する。受信部６０で受信する画像データは、受信処理部５０にて所定の処理を経た後、表示部４０に表示される。
【００４０】
受信処理部５０では、送信処理部２０のちょうど逆の処理が行われる。すなわち、受信処理部５０は、受信インターフェース５５と受信用バッファ５４とを備える。そして、受信部６０で受信する画像データは、受信インターフェース５５を介して受信用バッファ５４に一時蓄積される。
【００４１】
また、受信処理部５０は、画像伸長処理部５３とフレームメモリ５２と表示信号インターフェース５１とを備える。画像伸長処理部５３は、受信用バッファ５４に一時蓄積された画像データを、マクロブロックごとに順次読み出し、伸長処理を行う。画像伸長処理部５３で伸長処理された画像データは、フレームメモリ５２に一フレーム相当分だけ一時記憶される。
【００４２】
そして、フレームメモリ５２に一時記憶された画像データは、表示信号インターフェース５１にて表示に適した所望の処理がされた後、表示部４０に表示される。
【００４３】
通信装置１００の送信部３０が送信する画像データは、Ｉ２Ｓフォマットの画像データであり、通信リンクが切断されにくいという特徴を有する。また、送信部３０が送信処理する画像データは、Ｉ２Ｓフォマットの画像データであり、伝送レートを例えば１．５ギガヘルツの整数倍等に高速伝送として送信できる。
【００４４】
また、通信装置１００の受信処理部５０が受信処理する画像データは、Ｉ２Ｓフォマットの画像データであり、通信リンクが切断されにくいという特徴を有する。また、受信処理部５０が受信処理する画像データは、Ｉ２Ｓフォマットの画像データであり、伝送レートを例えば１．５ギガヘルツの整数倍等に高速伝送として受信できる。さらに、Ｉ２Ｓフォマットは、データにヘッダ部分を有しないので、有効データ部分が占有する実効データ部分を効率的に利用できる。
【００４５】
次に、図２を用いて通信装置１００の送信部３０等が送信するＩ２Ｓフォマットの画像データについて詳述する。図２は、通信装置１００が送受信する圧縮された画像データのデータストリーム構成を示す模式図である。
【００４６】
図２に示すように、通信装置１００が送受信する画像データは、圧縮されており一フレームデータ２００，２１０，２２０ずつ連続的に繋がるシリアル画像データである。また、圧縮された画像データ２０２，２１２，２２２は、画像一フレームごとにその先頭部分に送受信の同期をとる為の垂直同期（Ｖｓｙｎｃ）マーカー２０１，２１１，２２１が付与される。ここで、垂直同期マーカーのビット構成について説明する。
【００４７】
図３は、上述の垂直同期マーカー２０１のビット構成を示す模式図である。図３に示すように垂直同期マーカー２０１は、画像データ中において垂直同期マーカー自体の位置を示す指標となる２４ビットの固定値部３３を有する。
【００４８】
また、垂直同期マーカー２０１（ＦＦＦＦ_ＦＦＦＥ）は、圧縮された画像データ２０２のデータ長を示すフレームデータ長や圧縮・伸長処理に関する任意の補助情報等を有する６ビットのアンセラリデータ部３１を有する。
【００４９】
また、垂直同期マーカー２０１は、量子化テーブルオフセット情報を有する２ビットの量子化情報部３２を有する。
【００５０】
固定値部３３は、画像データ中におけるＶｓｙｎｃマーカー識別の指標となるものである。すなわち、固定値部３３は、各ビットが値１で固定されて２４ビットとなる。通信装置１００は、Ｌチャンネルの先頭位置に固定値部３３を検出すると、そこが垂直同期マーカーであることを認識する。
【００５１】
また、通信装置１００は、Ｌチャンネルの先頭位置に固定値部３３を検出すると、その検出位置が画像データにおける一フレームデータ２００の先頭であることを認識する。従って、通信装置１００は、固定値部３３により一連の画像データのなかにおける、画像フレームの区切りを識別することができる。
【００５２】
また、量子化情報部３２は、マクロブロック単位で画像データを圧縮伸長処理する際の、Ｃブロック（色差ブロック）に関する量子化テーブルの切り替え情報（シフトデータ）を有する。量子化情報部３２は、例えば００値であれば標準量子化テーブル値であると定義できる。
【００５３】
また、量子化情報部３２は、例えば０１値であれば標準量子化テーブル値＋１であると定義できる。また、量子化情報部３２は、例えば１０値であれば標準量子化テーブル値＋２であると定義できる。また、量子化情報部３２は、例えば１１値であれば標準量子化テーブル値＋３であると定義できる。
【００５４】
次に、図４を用いて通信装置１００が送受信するディジタル音声信号のデータ構成について説明する。図４は、ディジタル音声信号のデータ構成を例示する概念図である。
【００５５】
図４（ａ）は、通信装置１００が送受信するディジタル音声信号のＩ２Ｓコンパチブルフォマットを示すデータフォマット例であり、図４（ｂ）は、通信装置１００が送受信するディジタル音声信号のＭＳＢ左詰めフォマットを示すデータフォマット例である。また、図４（ｃ）は、通信装置１００が送受信するディジタル音声信号のＭＳＢ右詰めフォマットを示すデータフォマット例である。
【００５６】
図４（ａ）に示すように、ディジタル音声信号は１２Ｓビットクロックと、ワード同期信号（ワードシンクフラグ）と、データ部（Ｉ２Ｓデータ部）とからなる。そして、圧縮された画像データは、データ部を用いて伝送する。
ここで、図４（ａ）に示すＢＣＬＫは、上述のＩ２Ｓビットクロックに対応する。また、図４（ａ）に示すＷＳは、上述のワード同期信号（ワードシンクフラグ）に対応する。また、図４（ａ）に示すＤＡＴＡは、上述のデータ部（Ｉ２Ｓデータ部）に対応する。
【００５７】
ワード同期信号は、３２ビットごとにＬチャンネルとＲチャンネルとが交互に現れる構成とする。Ｌチャンネルはワード同期信号（又はＬＲワード選択信号）のロー期間に対応し、Ｒチャンネルはワード同期信号（又はＬＲワード選択信号）のハイ期間に対応する。但し、Ｉ２Ｓフォマットでは、ＬＲチャンネルワード同期信号の立ち上がり・立ち下がりタイミングに対して１ビットのみずれる。
【００５８】
そして、ＬＲチャンネルが１セットで、ちょうど６４ビットのデータフレーム構成となる。すなわち、Ｉ２Ｓフォマットは、最初の１／２データフレーム（３２ビット）がＬチャンネル、後の１／２データフレーム（３２ビット）がＲチャンネルとなり、ＬＲチャンネルが交互にシリアル配列してなる。また、画像データは、各チャンネルの前半ビットを用いて伝送される。
【００５９】
図４（ａ）では、３２ビットの垂直同期マーカー２０１が、Ｌチャンネルの前半１６ビットと、Ｒチャンネルの前半１６ビットとを用いて、分割されて伝送されるデータ構成を示すものである。
【００６０】
すなわち、３２ビットである垂直同期マーカー２０１の前半１６ビット（上位１６ビット）は、Ｌチャンネルデータ４１ａのデータ部４３ａを用いて伝送される。また、３２ビットである垂直同期マーカー２０１の後半１６ビット（下位１６ビット）は、Ｒチャンネルデータ４２ａのデータ部４５ａを用いて伝送される。
【００６１】
また、ＬチャンネルとＲチャンネルの各々の後半１６ビットは、例えば値０が付与されて無効データとなる。すなわち、Ｌチャンネルデータ４１ａの後半１６ビット部分と、Ｒチャンネルデータ４２ａの後半１６ビット部分とは、各々無効データ４４ａ，４６ａとなる。
【００６２】
また、圧縮された画像データ２０２は、垂直同期マーカー２０１に引き続き、にＬチャンネルとＲチャンネルとの前半１６ビットずつを利用してシリアルに伝送される。なお、いわゆる２４ビット方式を用いる場合には、画像データについては、ＲＬ各チャンネルの前半２４ビット分を利用して伝送することとできる。この場合、画像データの送受信に利用するＲＬ各チャンネルの無効データ部分は、各々８ビットとなる。
【００６３】
また、図４（ｂ）に示す左詰めフォマットは、Ｌチャンネルがワード同期信号（又はＬＲワード選択信号）のハイ期間に対応し、Ｒチャンネルがワード同期信号（又はＬＲワード選択信号）のロー期間に対応する。また、左詰めフォマットでは、ＬＲチャンネルワード同期信号の立ち上がり・立ち下がりタイミングに対して１ビットのずれがない。
【００６４】
また、３２ビットである垂直同期マーカー２０１の前半１６ビット（上位１６ビット）は、Ｌチャンネルデータ４１ｂのデータ部４３ｂを用いて伝送される。また、３２ビットである垂直同期マーカー２０１の後半１６ビット（下位１６ビット）は、Ｒチャンネルデータ４２ｂのデータ部４５ｂを用いて伝送される。
【００６５】
また、左詰めフォマットのＬチャンネルとＲチャンネルの各々の後半１６ビットは、例えば値０が付与され無効データとなる。すなわち、左詰めフォマットのＬチャンネルデータ４１ｂの後半１６ビット部分と、Ｒチャンネルデータ４２ｂの後半１６ビット部分とは、各々無効データ４４ｂ，４６ｂとなる。その他は、上述のＩ２Ｓフォマットの説明と重複するので、ここでは説明を省略する。
【００６６】
また、図４（ｃ）に示す右詰めフォマットは、Ｌチャンネルがワード同期信号（又はＬＲワード選択信号）のハイ期間に対応し、Ｒチャンネルがワード同期信号（又はＬＲワード選択信号）のロー期間に対応する。また、右詰めフォマットでは、ＬＲチャンネルワード同期信号の立ち上がり・立ち下がりタイミングに対して１ビットのずれがない。
【００６７】
さらに、各ＬＲチャンネル４１ｃ，４２ｃ内における、データ部４３ｃ，４５ｃと無効データ部４４ｃ，４６ｃとのビット配置順序が入れ替わる。その他は、上述のＩ２Ｓフォマットの説明と重複するので、ここでは説明を省略する。
【００６８】
上述するように、通信装置１００は、音声データに代えて画像データをディジタル音声伝送方式により伝送することが可能となる。また、通信装置１００は、画像データのフレームごとに、垂直同期マーカーを付与することで、フレーム境界を認識することができる。
【００６９】
また、通信装置１００は、ヘッダ等を必要としない音声伝送方式を用いることで、伝送レートを例えば１．５メガビット毎秒の整数倍等と高く維持することが可能である。また、通信装置１００は、水平同期信号（Ｈｓｙｎｃ）を用いることなく画像データを伝送可能となる。
【００７０】
図５は、通信装置１００の画像圧縮処理部２３が、画像データをマクロブロックごとに圧縮処理するブロック概念を説明する画像データのフレーム模式図である。
【００７１】
図５（ａ）に示すように、通信装置１００のフレームメモリ２２は、例えば２４０×２４０画素を一フレーム（又は一フィールド）５００として、一時記憶する。そして、画像圧縮処理部２３は、フレームメモリ２２に一時記憶された一フレーム（又は一フィールド）５００のうち、画像圧縮処理の最小単位となるマクロブロック５１０ごとに読み出して圧縮処理を行う。
【００７２】
マクロブロック５１０は、画像圧縮処理の最小単位であって任意の画素数とできるものであるが、図５（ａ）では１６×１６画素を一マクロブロックとして例示している。
【００７３】
また、画像圧縮処理部２３は、一フレーム５００の画像データを、一マクロブロックごとに順次水平方向（図面右方向）へと圧縮処理する。このため、画像圧縮処理部２３は、まず水平方向１６ライン相当分（マクロブロック一行分（水平方向に１５個のマクロブロックが並んだものをマクロブロック一行分とする））の画像データを圧縮処理する。次に、１６ライン相当分（マクロブロック一行目分）の画像データの圧縮が完了すれば、その次の１６ライン相当分（マクロブロック二行目分）の画像データの圧縮処理を行う。
【００７４】
図５（ｂ）は、マクロブロック５１０が、さらに８×８画素の４つの輝度（Ｙ）ブロックＹ０，Ｙ１，Ｙ２，Ｙ３と、２つの色差（Ｃ）ブロックＣｂ５２０，Ｃｒ５３０とからなるブロック構成を示すものである。
【００７５】
通信装置１００が伝送する画像データは、上述する垂直同期マーカー２０１，２１１，２２１等に加え、ブロックごとにそのブロックデータの終了を意味するＥＯＢ（エンド・オブ・ブロック）マーカーを有する。ＥＯＢマーカー５２２，５２１，５２４，５２３は、輝度ブロックＹ０，Ｙ１，Ｙ２，Ｙ３のデータの最後部に対応するデータ位置に付与される。また、ＥＯＢマーカー５２５，５２６は、色差ブロックＣｂ５２０，Ｃｒ５３０のデータの最後部に対応するデータ位置に付与される。
【００７６】
通信装置１００は、ＥＯＢマーカー５２２，５２１，５２４，５２３，５２５，５２６を、圧縮された画像データにおいては認識できないので、画像伸長処理部５３で伸長された画像データにおいて、識別して認識することとなる。
【００７７】
なお、上述するように、画像圧縮処理部２３と画像伸長処理部５３とは、マクロブロック単位で画像データを処理する。従って、フレームメモリ２２，５２は、好ましくは画像を圧縮伸長処理する最小単位相当分での水平方向一ライン相当分の一時記憶容量で足りるものである。また、フレームメモリ２２，５２は、さらに好ましくは画像データ一フレームの水平方向１６ライン相当分のデータ記憶容量とすることができる。
【００７８】
また、フレームメモリ２２，５２は、一フレーム相当の画像が一時記憶される前に、マクロブロックごとに順次読み出し処理することとできる。これにより、一フレーム相当の画像データ蓄積時間を要することなく、速やかに逐次画像圧縮処理等を実行することが可能となり、遅延を低減した通信装置１００とできる。
【００７９】
逐次圧縮された画像データは、Ｉ２Ｓ方式等により、例えば１．５メガビット毎秒程度の高伝送レートを維持した固定伝送レートで、送信部３０を介して順次伝送することが可能である。なお、通信装置１００は、４８キロヘルツ、１６ビットで１．５メガビット毎秒の伝送レートとし、６４ビットクロックの一データフレームを有するとして例示したがこれに限られることはない。
【００８０】
次に、画像圧縮処理部２３等における処理を並列化（パイプライン化）して、さらに遅延を低減した処理と伝送が可能な通信装置について、第二の実施形態で説明する。
【００８１】
（第二の実施形態）
図６は、第二の実施形態にかかる通信装置６００の構成を示すブロック概念図である。
【００８２】
通信装置６００の送信処理部６１０は、いわゆるフレームメモリとなる一時記憶部６１２を有する。但し、一フレームを２４０×２４０画素で構成して一マクロブロックを１６×１６画素とする場合には、一時記憶部６１２を、マクロブロック一行分（マクロブロック１５個分）の記憶容量として構成してもよい。
【００８３】
また、通信装置６００の送信処理部６１０は、画像圧縮処理部６１３，と送信用バッファ６１４と送信インターフェース６１５を含む第一の処理ラインを有する。また、通信装置６００の送信処理部６１０は、画像圧縮処理部６１６と送信用バッファ６１７と送信インターフェース６１８を含む第二の処理ラインを有する。
【００８４】
なお、各送信用バッファ６１４，６１７は、典型的には圧縮された一フレーム相当分の画像データを、画像圧縮処理部６１３，６１６から伝送される順序に従い、順次記憶する。また、各送信用バッファ６１４，６１７は、１６ライン分の圧縮データが格納された時点で、各々送信インターフェース６１５，６１８を介して画像データを読み出され送信を開始する。
【００８５】
通信装置６００は、一時記憶部６１２に順次記憶する画像データのうち、一マクロブロックの画像データについて上述の第一と第二の処理ラインで８ライン相当分ずつ並列に処理することができる。
【００８６】
このため、通信装置６００の送信処理部６１０は、画像処理工程の処理能力が実質的に２倍となり、これにより画像データ量あたりの処理時間は約半分となる。
【００８７】
ここで、第一と第二の処理ライン各々への画像データの割り振りについて、図５に示すマクロブロックの典型例を用いてさらに詳述する。
【００８８】
図５（ａ）に示すように、カメラ６０１で撮像する撮像画像の一フレーム（又は一フィールド）は、例えば２４０×２４０画素で構成される。そして、通信装置６００は、圧縮処理等の画像符号化処理等を行うに際し、一フレーム内でイントラの最小領域に対応するマクロブロック（マクロブロックイントラ）ごとに処理を行う。すなわち、マクロブロックは、独立して画像圧縮処理が可能な最小の画像符号化領域であるといえる。典型的には、ＤＣＴを用いるＪＰＥＧ等を例示することができる。
【００８９】
また、図５（ａ）に示すように、マクロブロック５１０は、例えば１６×１６画素として構成できる。また、図５（ａ）に示す例においては、マクロブロック５１０が一フレームの中に、１５×１５個存在することとなる。画像データは、マクロブロック５１０ごとに、水平方向に順次読み出される（図５（ａ）右方向）。
【００９０】
水平方向にマクロブロック１５個分、すなわち水平方向１６ライン相当分の画像データが順次読み出されると、垂直方向に次（図５（ａ）下方向）のマクロブロック１５個分の画像データが、マクロブロックごとに順次（図５（ａ）左から右方向へ）読み出される。
【００９１】
通信装置６００の送信処理部６１０は、第一の処理ラインと第二の処理ラインとの間で、画像データの偏りが少なくなるように、また処理データ量の均衡が図れるように、各処理ラインに画像データを割り振る。
【００９２】
典型的には、通信装置６００の送信処理部６１０は、第一の処理ラインにＹ０，Ｙ１の輝度ブロックデータとＣｂ５２０の色差ブロックのデータを処理させる。また、通信装置６００の送信処理部６１０は、第二の処理ラインにＹ２，Ｙ３の輝度ブロックデータとＣｒ５３０の色差ブロックのデータを処理させる。なお、第一と第二の処理ラインで各々処理するブロックは、この例示に限られず任意に割り当てるように設定してもよい。
【００９３】
これにより、４：１：１サンプリング画像データの画像圧縮処理に適するデータ構成とできる。また、輝度ブロックＹ０，Ｙ１，Ｙ２，Ｙ３のデータと色差ブロックＣｂ５２０，Ｃｒ５３０のデータとの間に、データ量の不均衡が相当分存在する場合においても、第一の処理ラインと第二の処理ラインとで、ほぼ同等程度の処理データ量とできる。
【００９４】
なお、圧縮処理後の画像データ量は、圧縮処理前の画像データ特性等に依存して多少異なるものであるが、上述の割り振りにより第一の処理ラインと第二の処理ラインとでほぼ同等程度の処理負荷とできる。
【００９５】
従って、一時記憶部６１２からマクロブロック５１０ごとに出力される画像データは、第一の処理ラインと第二の処理ラインとに割り振られて、各々の処理ラインで同時並列的に、かつ速やかに画像圧縮処理等所望の処理が為されることとなる。
【００９６】
なお、画像圧縮処理部６１３，６１６は、マクロブロックごとに、各々Ｙ信号（２ブロック）とＣ信号（１ブロック）とを交互に処理できる。このため、量子化テーブルを切り替える必要がある場合には、対応する画像データの先頭に配置する垂直同期マーカーにおいて、選択して適用する量子化テーブルを宣言する符号（第一の実施形態の量子化情報部３２に対応）を付与してもよい。例えば、量子化テーブルは、予め設定する所定の量子化テーブルの中から、適宜選択することとしてもよい。
【００９７】
また、送信側で絵柄が厳しくて画像データ量が大きくなることに対応して、量子化テーブルを大きく・粗くする場合には、フレームの先頭でマーカに宣言符号を付与し、粗くした程度に関する量子化テーブルの情報を、受信側に送ることとできる。
【００９８】
また、送信部６０２は、Ｉ２Ｓ方式により３メガビット毎秒程度の一定の高速伝送レートで、送信インターフェース６１５，６１８から取得する画像データを順次送信する。従って、通信装置６００の送信処理部６１０は、カメラ６０１から取り込む画像データを、滞留させることなく迅速に処理できる。上述するように、通信装置６００は、圧縮処理した画像データを高速伝送レートで送信する。
【００９９】
なお、送信処理部６１０のその他の構成や動作・処理については、通信装置１００で既に説明した内容と重複するので省略する。
【０１００】
次に、通信装置６００の受信処理部６２０について簡単に説明する。受信処理部６２０は、送信処理部６１０と同様の並列処理にて受信部６０４で受信する画像データのデコード処理を順次行う。
【０１０１】
受信処理部６２０は、受信インターフェース６２５と受信用バッファ６２４と画像伸長処理部６２３とを含む第一の受信処理ラインを有する。また、受信処理部６２０は、受信インターフェース６２８と受信用バッファ６２７と画像伸長処理部６２６とを含む第二の受信処理ラインを有する。
【０１０２】
受信部６０４で順次受信される画像データは、上述の第一の受信処理ラインと第二の受信処理ラインとに適宜割り振られ、各々の受信処理ラインにおいて同時並列処理される。すなわち、送信処理部６１０の第一の処理ラインで処理された輝度ブロックＹ０，Ｙ１のデータと色差ブロックＣｂ５２０のデータとは、例えば受信処理部６２０の第一の受信処理ラインにてブロックごとに画像伸長処理等が為される。そして、受信処理部６２０は、各ブロックの最後尾に付与されているＥＯＢを識別する。
【０１０３】
また、送信処理部６１０の第二の処理ラインで処理された輝度ブロックＹ２，Ｙ３のデータと色差ブロックＣｒ５３０のデータとは、例えば受信処理部６２０の第二の受信処理ラインにてブロックごとに画像伸長処理等が為される。そして、受信処理部６２０は、各ブロックの最後尾に付与されているＥＯＢを識別する。
【０１０４】
例えば、一画像フレーム当り１５×１５マクロブロックがある場合には、一画像フレーム当り１５×１５×６＝１３５０ブロックが存在する。従って、各受信処理ラインごとに１３５０／２＝６７５個のＥＯＢを処理することとなる。
【０１０５】
続いて、各々の受信処理ラインで処理された画像データは、例えば１６ライン分の記憶容量を有する一時記憶部６２２に、順次マクロブロックごとに記憶される。また、通信装置６００は、一時記憶部６２２に一時記憶する画像データに、表示信号インターフェース６２１等を介して表示に適した処理を行う。
【０１０６】
また、通信装置６００は、表示信号インターフェース６２１等を介して処理した画像データを、表示部６０３に画像として表示する。  このため、通信装置６００は、カメラ６０１から取り込む画像データの遅延を低減した伝送を行うと共に、遅延を低減した表示部６０３への表示を実現する。従って、通信装置６００は、リアルタイム画像の低遅延表示に適しており、車両用後方確認システム等に好適に用いることとできる。
【０１０７】
次に、図７を用いて通信装置６００の動作処理について説明する。図７は、通信装置６００の送信処理フローを示すフロー概念図である。
【０１０８】
（ステップＳ７１）
通信装置６００は、被写体画像を撮像する指示があるかどうかを判断する。例えば、通信装置６００を車両用後方確認カメラとして構成する場合には、通信装置６００は、車両の運転者から撮像指示があったか若しくは車両が後退ギアに設定される事を検出する等により、撮像可否を判断する。
【０１０９】
通信装置６００が画像を撮像する場合には、ステップＳ７２へと進む。また、通信装置６００が画像を撮像しない場合には、ステップＳ７１で待機する。
【０１１０】
（ステップＳ７２）
通信装置６００のカメラ６０１の電源をオンにして画像取り込みの準備立ち上げを行う。また、通信装置６００は、カメラ６０１へ初期設定等が為されている場合には、初期値の設定作業等の初期化を行い画像取得に備える。
【０１１１】
（ステップＳ７３）
通信装置６００のカメラ６０１は、被写体画像の取り込みを開始する。例えば、カメラ６０１がＣＣＤやＣＭＯＳイメージセンサ等の固体撮像素子から構成される場合には、カメラ６０１は、被写体からの入射光を固体撮像素子で電気信号へと光電変換する。
【０１１２】
（ステップＳ７４）
カメラ６０１は、被写体からの光を光電変換して得られた電気信号を、入力信号インターフェース６１１を介して順次出力する。典型的にはカメラ６０１は、マクロブロックあたり１６×１６画素とするマクロブロックごとに画像データを順次出力する。
【０１１３】
（ステップＳ７５）
送信処理部６１０の一時記憶部６１２は、カメラ６０１から出力される画像データを入力信号インターフェース６１１を介して、マクロブロックごとに順次記憶する。
【０１１４】
（ステップＳ７６）
通信装置６００の送信処理部６１０は、一時記憶部６１２に蓄積される画像データが、所定の記憶容量となったかどうかを判断する。一時記憶部６１２の記憶容量を１５個のマクロブロック相当分（典型的には一フレームの水平方向１６ライン相当分）とする場合には、１５個のマクロブロック相当分画像データが記憶されたかどうかを判断する。
【０１１５】
なお、一時記憶部６１２は、ＲＡＭに限られずラインメモリ等により構成してもよい。一時記憶部６１２をラインメモリとして構成する場合には、ラインメモリを２ブロック構成とし、同時に同じ記憶領域に対して書き込みと読み出しが重複することがないようにデュアルポート構成としてもよい。
【０１１６】
一時記憶部６１２に１５マクロブロック相当分の画像データが蓄積されていれば、ステップＳ７７へと進む。また、一時記憶部６１２に１５マクロブロック相当分の画像データが蓄積されていなければ、ステップＳ７５へと戻る。
【０１１７】
（ステップＳ７７）
通信装置６００の送信処理部６１０は、一時記憶部６１２の画像データを画像圧縮処理部６１３，６１６へと伝送開始する。ここで、送信処理部６１０は、一時記憶部６１２に一フレーム相当分の画像データが蓄積されていなくても、順次マクロブロック単位で画像圧縮処理部６１３，６１６へ画像データを伝送する。
【０１１８】
すなわち、一時記憶部６１２は、ステップＳ７５における画像データの記憶開始から一フレーム分の蓄積時間が経過する前に、順次マクロブロック単位で画像圧縮処理部６１３，６１６へと画像データを出力する。このため、通信装置６００は、ステップＳ７５における画像データの記憶開始から、画像データの出力開始までの間の時間を、蓄積に要する時間に応じて短縮することができる。
【０１１９】
また、マクロブロック５１０のうち、画像圧縮処理部６１３へ輝度ブロックＹ０，Ｙ１のデータ及び色差ブロックＣｂ５２０のデータが入力される。また、マクロブロック５１０のうち、画像圧縮処理部６１６へ輝度ブロックＹ２，Ｙ３のデータ及び色差ブロックＣｒ５３０のデータが入力される。
【０１２０】
（ステップＳ７８）
画像圧縮処理部６１３，６１６は、一時記憶部６１２から各々読み出した画像データをマクロブロックごとに、順次圧縮処理する。  すなわち、マクロブロック５１０のうち、画像圧縮処理部６１３が輝度ブロックＹ０，Ｙ１のデータ及び色差ブロックＣｂ５２０のデータを処理する。また、マクロブロック５１０のうち、画像圧縮処理部６１６が輝度ブロックＹ２，Ｙ３のデータ及び色差ブロックＣｒ５３０のデータを処理する。
【０１２１】
（ステップＳ７９）
送信処理部６１０は、画像圧縮処理部６１３，６１６で圧縮処理した画像データを、順次送信用バファ６１４，６１７へと蓄積する。送信用バッファ６１４，６１７は、必ずしも撮像画像の一フレームに対応する圧縮画像相当分の記憶容量を有する必要はない。
【０１２２】
送信用バッファ６１４，６１７の記憶容量の最適値は、送信部６０２への出力伝送レートと画像圧縮処理部６１３，６１６からの入力伝送レートとのバランス下で決定できる。送信部６０２をＩ２Ｓ方式の高速伝送レートとする場合には、送信用バッファ６１４，６１７は数十マクロブロック相当分の記憶容量とできる。
【０１２３】
典型的には送信用バッファ６１４，６１７は、例えば２０マクロブロック相当分程度の画像データが蓄積された時点で、送信インターフェース６１５，６１８へと画像データを出力できる。
【０１２４】
（ステップＳ７ａ）
通信装置６００は、送信インターフェース６１５，６１８を介して送信部６０２により画像データを、順次送信処理する。
【０１２５】
（ステップＳ７ｂ）
通信装置６００は、撮像を終了するかどうかを判断する。通信装置６００は、撮像を終了する場合にはステップＳ７ｃへと進む。また、通信装置６００は、撮像を終了しない場合にはステップＳ７３へと戻る。
【０１２６】
（ステップＳ７ｃ）
通信装置６００は、車両の運転手の操作等に基づきカメラ６０１の電源をオフにする。
【０１２７】
上述するように、通信装置６００は、カメラ６０１から順次読み出した画像データを、画像圧縮処理等の画像処理する前段階で、一フレーム分蓄える時間を要しない。このため、通信装置６００は、遅延を低減した迅速な画像データ伝送処理を行うことができる。
【０１２８】
また、通信装置６００は、画像サイズに依存せずレーテンシー（遅延量）を一定とでき、１６ライン相当分の一時記憶部６１２，６２２を用いた連続処理が可能となる。また、画像サイズが、例えば４００ラインあるいは４８０ライン等であっても同様の構成と処理とにできる。
【０１２９】
また、通信装置６００は、記憶容量の削減による送信処理回路等の小型化・省スペース化を実現できる。また、通信装置６００は、記憶容量の削減によるコスト低減も実現することができる。
【０１３０】
また、送信部６０２は、Ｉ２Ｓ方式により、第一と第二の処理ラインから独立して同時並列的に入力される画像データを、順次送信処理することが可能である。すなわち、通信装置６００は、第一と第二の処理ラインによる並列処理を行いながら、送信用バッファ６１４，６１７への書き込み調停回路等による画像データの調整を必要としない。
【０１３１】
従って、通信装置６００は、シンプルで低コストな送信用バッファ６１４，６１７や送信部６０２とすることができる。また、通信装置６００は、送信部６０２を汎用無線モジュールとできるので、特定の音声無線伝送チップとする必要がなく汎用性が高く、部品選択の自由度が高い設計が可能となる。
【０１３２】
また、通信装置６００は、並列処理として二つの処理ラインを有する構成と示したが、これに限られることはない。３つ以上の処理ラインにより、３つ以上の並列化処理としてもよく、この場合に送信部６０２は、１．５メガビット毎秒の処理ラインの数に対応する整数倍の伝送レートとできる。また、並列化処理の回路応用が簡易であるので、開発工程が少なくて済み、高い伝送レートかつ高画質な画像データの伝送装置を安価に提供可能となる。
【０１３３】
また、通信装置６００は、圧縮処理等を並列処理化した事によりクロック周波数を高く設定しなくても、迅速な画像圧縮処理等を実現できる。また、クロック周波数を高く設定しなくてもよいので、乗算器を備えるＤＣＴ等への影響を低減できる。
【０１３４】
また、通信装置６００は、クロック周波数を４８キロヘルツで同一に保ったまま画像圧縮処理を迅速に行えるので、繰り返しＤＣＴ処理を行うだけの時間的余裕を捻出することも可能である。このため、画像圧縮について簡単な画像か複雑な画像かを判断して、再度量子化処理を行うこともできる。
【０１３５】
また、本実施形態で説明する通信装置６００等は、ディジタル画像無線通信装置であるとして説明をしたが、これに限定されることはなく有線通信に適用してもよい。また、通信装置６００で説明するように、一時記憶部を１６ラインメモリとして順次画像圧縮処理や画像伸長処理を行う処理を、有線通信システムに適用してもよい。
【０１３６】
通信装置６００を有線通信システムに適用すれば、シリアル通信により通信線の本数を少なくしたディジタル画像無線送受信システムとできる。また、このような有線通信においては、適宜圧縮処理により画像データ量が適切に低減化されているので、多量の画像データであっても低伝送レートで伝送することも可能となる。また、通信装置６００を有線通信に適用すれば、長距離通信も可能となるので好ましい。
【０１３７】
また、通信装置１００，６００は、ヘッダを有しないディジタル音声信号伝送方式を用いながら、画像フレームの識別を可能とし、送受信間で同期がとれた、かつ揺らぎを低減した圧縮画像の伝送を実現できる。さらに、通信装置１００，６００は、ヘッダを有しないデータを扱うので、画像データの伝送を実質的に有効に行える。
【０１３８】
また、ディジタル画像無線伝送装置や通信装置１００，６００は、自明な範囲で適宜その構成と動作や処理を変更して用いることとできる。
【図面の簡単な説明】
【０１３９】
【図１】第一の実施形態にかかる通信装置を模式的に示すブロック概念図である。
【図２】圧縮された画像データのデータストリーム構成を示す模式図である。
【図３】垂直同期マーカーのビット構成を示す模式図である。
【図４】ディジタル音声信号のデータ構成を例示する概念図である。
【図５】ブロック概念を説明する画像データのフレーム模式図である。
【図６】第二の実施形態にかかる通信装置の構成を示すブロック概念図である。
【図７】第二の実施形態にかかる通信装置の送信処理フローを示すフロー概念図である。
【符号の説明】
【０１４０】
１０・・カメラ、２０・・送信処理部、２１・・入力信号インターフェース、２２・・フレームメモリ、２３・・画像圧縮処理部、２４・・送信用バッファ、２５・・送信インターフェース、３０・・送信部、４０・・表示部、５０・・受信処理部、５１・・表示信号インターフェース、５２・・フレームメモリ、５３・・画像伸長処理部、５４・・受信用バッファ、５５・・受信インターフェース、６０・・受信部。
【図１】
2009141502.tif 000003
【図２】
2009141502.tif 000004
【図３】
2009141502.tif 000005
【図４】
2009141502.tif 000006
【図５】
2009141502.tif 000007
【図６】
2009141502.tif 000008
【図７】
2009141502.tif 000009